(57)【要約】【課題】  木造軸組本来の優れた構造的特性を損なうことがなく、その施工も容易な合理的な板壁の構造を実現する。【解決手段】  木造軸組における左右の柱１と上下の横架材（頭貫３，内法貫４）との間に木板からなる面材５を装着することで形成される板壁の構造であって、左右の柱と面材の両側縁との間には軸組変形時にそれらの相対変位を許容するためのクリアランス６を確保するとともに、上下の横架材のいずれか一方と面材とを面内相対変位不能な状態で固定し、かつ他方の横架材と面材との間には、自身の変形により面材の面内相対変位を許容しつつ規制するダボ７を介装する。【選択図】      図１
2005248652.tif 000002
【特許請求の範囲】
【請求項１】
木造軸組における左右の柱と上下の横架材との間に木板からなる面材を装着することで形成される板壁の構造であって、左右の柱と面材の両側縁との間には軸組変形時にそれらの相対変位を許容するためのクリアランスを確保するとともに、上下の横架材のいずれか一方と面材とを面内相対変位不能な状態で固定し、かつ他方の横架材と面材との間には、自身の変形により面材の面内相対変位を許容しつつ規制するダボを介装したことを特徴とする木造軸組における板壁の構造。
【発明の詳細な説明】
【技術分野】
【０００１】
本発明は、伝統的な木造軸組における板壁の構造に関する。
【背景技術】
【０００２】
周知のように、寺社建築に代表される我が国の伝統的な木造建物の構造は、木柱に貫や長押等の横架材を木組みを基本として接合する木造軸組によるものであり、特許文献１にはそのような伝統的な木造軸組における板壁についての開示がある。
【特許文献１】特開２００３−３０１５４２号公報
【０００３】
このような伝統的な木造軸組は、地震時に水平力を受けると軸組全体が四角形から平行四辺形に変形するのであるが、その際には貫のめり込み抵抗力や柱の傾斜復元力によって比較的大きく変形してから抵抗力が生じ、しかも耐力が急激に低下しないという構造的な特性を有するものであり、これは極めて合理的な耐震構造であって本来的に優れた耐震性能を有しているものであるといえる。
【発明の開示】
【発明が解決しようとする課題】
【０００４】
ところで、そのような伝統的な木造軸組に板壁を組み込む場合、板壁は上記のような軸組の変形に抵抗する耐力要素として機能するのであるが、特許文献１に示されるように板壁を単に双方の柱の間に強固に嵌合させた状態で組み込むことでは軸組全体の剛性が高くなりすぎてしまう場合があり、また剛性の調整も困難であることから、伝統的な木造軸組が本来的に備える上記のような構造的な特性を損なってしまうことがある。そのため歴史的な木造建物の改修や復元に際して、あるいは伝統的な意匠と構造による木造建物を新築するに際しては、そのような板壁を設けることは必ずしも好ましくないとも考えられている。
【０００５】
また、特許文献１に示されている板壁はその構造が複雑に過ぎるし、その施工も必ずしも容易ではないので、伝統的な木造軸組の特性を損なうことなく、かつ施工も容易で合理的な板壁の構造が模索されているのが実情である。
【課題を解決するための手段】
【０００６】
上記事情に鑑み、本発明は、木造軸組における左右の柱と上下の横架材との間に木板からなる面材を装着することで形成される板壁の構造であって、左右の柱と面材の両側縁との間には軸組変形時にそれらの相対変位を許容するためのクリアランスを確保するとともに、上下の横架材のいずれか一方と面材とを面内相対変位不能な状態で固定し、かつ他方の横架材と面材との間には、自身の変形により面材の面内相対変位を許容しつつ規制するダボを介装したことを特徴とするものである。
【発明の効果】
【０００７】
本発明の構造の板壁によれば、軸組の変形時には面材が横架材とともに柱に対して相対回転しかつそのまま横方向にスライドするような相対変位が生じようとし、その相対変位はダボのせん断耐力により規制されるが、ダボのせん断耐力の範囲内では面材の相対変位は許容され、したがってダボのせん断耐力を適正に設定することにより木造軸組全体に適正な剛性と耐力、変形性能を持たせることが可能となる。また、面材の上辺部または下辺部のいずれか一方のみを横架材に固定して他方にのみダボを介装すれば良く、面材の両側縁は柱に対して嵌合させたり固定する必要はないので、軸組に対する面材の組み付けを単純な作業で極めて容易に行うことができる。
【発明を実施するための最良の形態】
【０００８】
図１〜図４に本発明の板壁の構造の一実施形態を示す。図１は本実施形態の構造の板壁を組み込んだ木造軸組を室内側から見た正面図、図２は室外側からみた背面図、図３は板壁の要部拡大断面図、図４は要部斜視図である。符号１は柱、２は斗組、３，４は柱頭部間にそれぞれ架設された横架材としての頭貫および内法貫であり、本例の板壁はそれら左右の柱１と頭貫３と内法貫４との間に面材５を装着することで形成されているものである。
【０００９】
面材５は構造用合板あるいは桧材等による横長の板材であって、図１に示すようにその左右の両側縁と柱１との間には若干のクリアランス６が確保された状態でその下辺部が内法貫４に対して固定され、面材５の上辺部は頭貫３に対してダボ７を介して連結されたものとなっている。
【００１０】
すなわち、図４に示すように、内法貫４には面材５の下辺部が装着される切り欠き溝８が形成され、その切り欠き溝８には棒材からなる複数（図示例では３本）のコッター受け材９が所定間隔でビス１０により固定されている。面材５の下辺部には上記のコッター受け材９に対応する位置にコッター１１が切り欠かれて形成されており、それらコッター１１をコッター受け材９に嵌合させ、かつ面材５の下辺部を内法貫４に対してビス１２（図２参照）により固定することで、面材５の下辺部は内法貫４に対する面内相対変位が実質的に不能な状態で確実強固に固定されている。
【００１１】
一方、面材５の上辺部にはダボ７を介装するための切り欠き１３が所定間隔で形成され、そこにダボ７の下半部が装着されてたとえばステンレスプレート等の取付板１４によって面材５に固定されている。それらダボ７の上半部は面材５から上方に突出して頭貫３の下面に形成されているダボ穴１５に挿入され、これにより面材５の上辺部はダボ７を介して頭貫３に対して連結されている。
【００１２】
本例ではダボ７としてたとえば欅材等の木材が採用され、図４に示すようにその形状は、切り欠き１３に装着される下半部は四角形断面とされ、ダボ穴１５に挿入される上半部は円形断面とされている。このダボ７は、軸組の変形時には自身のせん断耐力によって面材５と頭貫３との間の面内相対変位を拘束するものであるが、その際にはダボ７自身に許容されるせん断変形の範囲で頭貫３に対する面材５の面内相対変位（すなわち面材５の横方向へのスライド）が許容されるものとなっている。
【００１３】
また、図２〜図４に示すように、面材５の背面側には各ダボ７の装着位置に短冊状の木板からなる補強当材１６が接着されたうえでビス１７により取り付けられ、同様の補強当板１６は面材５の両側縁部に対しても上記のクリアランス６を塞ぐようにして取り付けられている。
【００１４】
上記構造の板壁によれば、基本的には面材５が軸組の変形に抵抗する耐力要素として機能して軸組の剛性を高めるのであるが、通常のように面材５の両側縁部を柱１に対して接合するのはなくそこにクリアランス６を確保し、かつ面材５の下辺部のみを強固を固定して上辺部はダボ７を介して連結することにより、面材５の面内相対変位をダボ７により拘束しつつもそのせん断変形の範囲内で許容させることができる。特に、欅材のような木材からなるダボ７はせん断力を受けると繊維直交方向にめり込むような変形を生じつつ充分なせん断耐力を有するものであるので、その耐力の範囲内で面材５の相対変位をかなり許容できるものである。
【００１５】
したがって、そのようなダボ７のせん断耐力を適正に設定することにより、具体的にはダボ７の材質やその形状、寸法、設置間隔や設置本数等を適正に設定することにより、軸組全体の剛性を適正に設定することができ、それにより従来のように板壁を設けることで軸組全体の剛性を過度に高めてしまって本来的な特性を損なってしまうようなことを回避しつつ、木造軸組の耐震性能をより一層高めることが可能であり、壁面の少ない木造建物に対する耐震補強策、特に歴史的な既存の木造建造物に対する改修や復旧の際に適用して最適である。
【００１６】
勿論、その施工に際しては面材５の下辺部のみを固定して上辺部のみにダボ７を介装すれば良く、面材５の両側縁は柱１に対して嵌合させたり固定する必要もないので、何等面倒な手間や複雑な機構を必要とせず、その施工は容易であるしコスト的にも有利である。
【００１７】
なお、上記実施形態では面材５の下辺部を内法貫４に固定して上辺部を頭貫３にダボ７により連結したが、その天地を逆にして、面材５の上辺部を頭貫３に対して固定し、下辺部をダボ７により内法貫４に連結することでも同様の効果が得られる。また、上記実施形態はあくまで一例に過ぎず、軸組全体の形態や、軸組に対する板壁の設置位置、ダボの形状や装着の形態、面材の下辺部または上辺部の横架材に対する固定の形態、補強当板の有無やその取り付けの形態、その他細部の構成については、様々な設計的変更が可能であることは言うまでもない。
【図面の簡単な説明】
【００１８】
【図１】本発明の実施形態である板壁の構造を示す正面図である。
【図２】同、背面図である。
【図３】同、要部拡大断面図である。
【図４】同、要部斜視図である。
【符号の説明】
【００１９】
１  柱
２  斗組
３  頭貫（横架材）
４  内法貫（横架材）
５  面材
６  クリアランス
７  ダボ
８  切り欠き溝
９  コッター受け材
１０  ビス
１１  コッター
１２  ビス
１３  切り欠き
１４  取付板
１５  ダボ穴
１６  補強当板
１７  ビス
【図１】
2005248652.tif 000003
【図２】
2005248652.tif 000004
【図３】
2005248652.tif 000005
【図４】
2005248652.tif 000006